(57)【要約】【課題】  階段下地に比較的簡単に施工でき、階段下地を装飾できる階段仕上げ材を提供する。【解決手段】  本発明の階段仕上げ材Ａは、階段下地８の踏み面部８１を覆う踏み仕上げ材１と、階段下地８の段鼻部８２の上面を覆う上板部２１と階段下地８の段鼻部８２の前面を覆う前板部２２とを有し、それらが一体的に形成されている段鼻仕上げ材２と、階段下地８と側面壁下地９の間の入隅部に取り付けられる巾木仕上げ材であって、前記踏み仕上げ材及び前記段鼻仕上げ材の表面に接して取り付けられる巾木仕上げ材４と、を有する。【選択図】  図９
2020117951.tif 000002
【特許請求の範囲】
【請求項１】
階段下地の踏み面部を覆う踏み仕上げ材と、
階段下地の段鼻部の上面を覆う上板部と階段下地の段鼻部の前面を覆う前板部とを有し、それらが一体的に形成されている段鼻仕上げ材と、
階段下地と側面壁下地の間の入隅部に取り付けられる巾木仕上げ材であって、前記踏み仕上げ材及び前記段鼻仕上げ材の表面に接して取り付けられる巾木仕上げ材と、を有する、階段仕上げ材。
【請求項２】
前記段鼻仕上げ材が、さらに、階段下地の段鼻部の下面を覆う下板部をさらに有し、前記上板部、前板部及び下板部が一体的に形成されている、請求項１に記載の階段仕上げ材。
【請求項３】
さらに、前記階段下地の蹴込み面部を覆う蹴込み仕上げ材を有する、請求項１または２に記載の階段仕上げ材。
【請求項４】
一対の側面壁下地と、
前記一対の側面壁下地の間に構築された階段下地であって、交互に配置された複数の踏み面部及び蹴込み面部と前記踏み面部の前端から蹴込み面部の前方に突出された段鼻部とを有する階段下地と、
前記階段下地の踏み面部に取り付けられた踏み仕上げ材と、
前記階段下地の段鼻部の上面に取り付けられた上板部と階段下地の段鼻部の前面を覆った前板部とを有し、それらが一体的に形成されている段鼻仕上げ材と、
前記階段下地と一対の側面壁下地の間の入隅部に取り付けられた一対の巾木仕上げ材と、を有し、
前記巾木仕上げ材が、前記段鼻仕上げ材の前板部を押さえつつ前記側面壁下地に取り付けられた縦巾木部材と、前記段鼻仕上げ材の上板部及び踏み仕上げ材を押さえつつ前記側面壁下地に取り付けられた横巾木部材と、を有する、階段仕上げ構造。
【発明の詳細な説明】
【技術分野】
【０００１】
本発明は、階段下地の表面を装飾する階段仕上げ材などに関する。
【背景技術】
【０００２】
従来、個人の一戸建てや集合住宅などの各種住宅では、建築の初期段階において、階段が設置される。この種の階段は、天然木や、化粧合板又は集成材などを用いて構築され、設置完了後には、施主がその階段をそのまま使用する。すなわち、建築の初期段階から、最終完成品となった階段が設置されていると言える。
この場合、階段は最終完成品であるにも関わらず、その設置後に周囲の建築工程が進められるので、大工や内装工などの様々な作業者が出入りし、多くの人が前記階段を昇降して作業することになる。このため、工事業者によって階段が傷つかないようにするために、階段を養生して保護している。階段の養生方法としては、金属、合板、プラスチックなどで形成した養生板を階段に載せる、合成樹脂シートなどの養生シートで階段を被覆するなどの方法が採用されている（特許文献１及び２など）。
【先行技術文献】
【特許文献】
【０００３】
【特許文献１】実公平３−２８１１２号公報
【特許文献２】特開平９−１００６３１号公報
【発明の概要】
【発明が解決しようとする課題】
【０００４】
しかしながら、養生板や養生カバーによって階段を養生しても、日数が経過すると養生カバーなどが部分的に外れて階段表面が露出する、或いは、大きな工具の落下などによって、階段表面の汚れ或いは損傷が生じるという問題がある。上述のように最終完成品の階段は、その補修が困難又は不可能であるので、場合によっては、階段そのものを再構築し直す必要性が生じ得る。また、階段の養生作業が必要であることから、建築工程が増加するという問題もある。
【０００５】
本発明者らは、建築の初期段階に階段下地を構築し、その階段下地を養生することなく作業者が昇降に利用し、その後、建築の終盤に階段下地に階段仕上げ材を施工することによって上記問題点を解決できることを見い出した。なお、階段下地は、階段としての強度を有するが、仕上げ材が施工されていない構造体をいう。
本発明の目的は、階段下地に比較的簡単に施工でき、階段下地を装飾できる階段仕上げ材などを提供することである。
【課題を解決するための手段】
【０００６】
本発明の階段仕上げ材は、階段下地の踏み面部を覆う踏み仕上げ材と、階段下地の段鼻部の上面を覆う上板部と階段下地の段鼻部の前面を覆う前板部とを有し、それらが一体的に形成されている段鼻仕上げ材と、階段下地と側面壁下地の間の入隅部に取り付けられる巾木仕上げ材であって、前記踏み仕上げ材及び前記段鼻仕上げ材の表面に接して取り付けられる巾木仕上げ材と、を有する。
【０００７】
本発明の好ましい階段仕上げ材は、前記段鼻仕上げ材が、さらに、階段下地の段鼻部の下面を覆う下板部をさらに有し、前記上板部、前板部及び下板部が一体的に形成されている。
本発明の好ましい階段仕上げ材は、さらに、前記階段下地の蹴込み面部を覆う蹴込み仕上げ材を有する。
【０００８】
本発明の別の局面によれば、階段仕上げ構造を提供する。
本発明の階段仕上げ構造は、一対の側面壁下地と、前記一対の側面壁下地の間に構築された階段下地であって、交互に配置された複数の踏み面部及び蹴込み面部と前記踏み面部の前端から蹴込み面部の前方に突出された段鼻部とを有する階段下地と、前記階段下地の踏み面部に取り付けられた踏み仕上げ材と、前記階段下地の段鼻部の上面に取り付けられた上板部と階段下地の段鼻部の前面を覆った前板部とを有し、それらが一体的に形成されている段鼻仕上げ材と、前記階段下地と一対の側面壁下地の間の入隅部に取り付けられた一対の巾木仕上げ材と、を有し、前記巾木仕上げ材が、前記段鼻仕上げ材の前板部を押さえつつ前記側面壁下地に取り付けられた縦巾木部材と、前記段鼻仕上げ材の上板部及び踏み仕上げ材を押さえつつ前記側面壁下地に取り付けられた横巾木部材と、を有する。
【発明の効果】
【０００９】
本発明の階段仕上げ材は、階段下地に比較的簡単に施工でき、その施工後には、綺麗な階段仕上げ構造を構築できる。
【図面の簡単な説明】
【００１０】
【図１】本発明の蹴込み仕上げ材の参考斜視図。
【図２】踏み仕上げ材を示し、（ａ）は、その踏み仕上げ材の表面側から見た中央部省略平面図、（ｂ）は、その裏面側から見た中央部省略背面図、（ｃ）は、図２（ａ）のＩＩｃ−ＩＩｃ線で切断した拡大断面図。
【図３】蹴込み仕上げ材を示し、（ａ）は、その蹴込み仕上げ材の表面側から見た中央部省略平面図、（ｂ）は、図３（ａ）のＩＩＩｂ−ＩＩＩｂ線で切断した拡大断面図。
【図４】段鼻仕上げ材を示し、（ａ）は、その段鼻仕上げ材の中央部省略斜視図、（ｂ）は、上板部の表面側から見た中央部省略拡大平面図、（ｃ）は、その段鼻仕上げ材の拡大右側面図。
【図５】縦巾木部材（巾木仕上げ材）を示し、（ａ）は、その縦巾木部材の斜視図、（ｂ）は、その表面側から見た平面図、（ｃ）は、その右側面図。
【図６】横巾木部材（巾木仕上げ材）を示し、（ａ）は、その横巾木部材の斜視図、（ｂ）は、その表面側から見た平面図、（ｃ）は、その右側面図。
【図７】本発明の階段仕上げ構造を上方から見た中央部省略平面図。
【図８】図７のＶＩＩＩ−ＶＩＩＩ線で切断した端面図。
【図９】図７のＩＸ−ＩＸ線で切断した端面図。
【図１０】階段下地の断面図。
【図１１】第１変形例に係る段鼻仕上げ材の右側面図。
【図１２】（ａ）は、第２変形例に係る段鼻仕上げ材の中央部省略斜視図、（ｂ）は、その段鼻仕上げ材の拡大右側面図。
【図１３】第２変形例の段鼻仕上げ材を用いた階段仕上げ構造の断面図。
【図１４】第３変形例に係る段鼻仕上げ材の右側面図。
【図１５】第３変形例の段鼻仕上げ材を用いた階段仕上げ構造の断面図。
【図１６】第４変形例の階段仕上げ構造の拡大断面図。
【図１７】第５変形例の階段仕上げ構造の拡大断面図。
【図１８】第６変形例の階段仕上げ構造の拡大断面図。
【図１９】第７変形例の巾木仕上げ材を用いた階段仕上げ構造の断面図。
【図２０】第８変形例の巾木仕上げ材を用いた階段仕上げ構造の断面図。
【図２１】踏み仕上げ材を両面粘着テープを用いて貼り付ける際の、両面粘着テープの配置例を示す参考平面図。
【発明を実施するための形態】
【００１１】
以下、本発明について、適宜図面を参照しつつ説明する。
本明細書において、「仕上げ」は、住宅などの建物の内外装において、直接的に手や目に触れる部分を施工することをいい、「仕上げ材」は、前記内外装において、直接的に手や目に触れる部分を構成する部材をいう。また、「階段下地」は、階段としての強度を有する構築物であって未仕上げの状態の階段構築物をいい、「側面壁下地」は、側面壁としての強度を有する構築物であって未仕上げの状態の壁構築物をいう。また、方向性を示す用語の「前」は、段鼻部側を指し、「後」は、その反対側（蹴込み面部側）を指す。
本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
また、各図における、厚み及び大きさなどの寸法は、実際のものとは異なっていることに留意されたい。
【００１２】
［階段仕上げ材］
図１は、本発明の階段仕上げ材Ａの参考斜視図である。
本発明の階段仕上げ材Ａは、階段下地及び側面壁下地の一部分を仕上げるための仕上げ材である。
階段下地は、住宅などの建物の建築途中で一対の側面壁下地の間に構築されているものであり、下から上（階下から階上）に向かって交互に配置された複数の踏み面部及び蹴込み面部と、前記踏み面部の前端から蹴込み面部の前方に突出された段鼻部と、を有する。
図１を参照して、本発明の階段仕上げ材Ａは、前記階段下地の踏み面部を覆う踏み仕上げ材１と、階段下地の段鼻部を覆う段鼻仕上げ材２と、側面壁下地の一部分を覆う巾木仕上げ材４と、を有し、好ましくは、階段下地の蹴込み面部を覆う蹴込み仕上げ材３をさらに有する。なお、巾木仕上げ材４は、左右一対存在する側面壁下地に対応して、一対具備されている。
本発明の階段仕上げ材Ａは、踏み仕上げ材１、段鼻仕上げ材２及び巾木仕上げ材４（好ましくは、さらに蹴込み仕上げ材３）が階段１段当たりのセット品として提供される。
【００１３】
＜踏み仕上げ材＞
図２（ａ）は、踏み仕上げ材１を表面側から見た平面図、（ｂ）は、踏み仕上げ材１を裏面側から見た平面図（背面図）、（ｃ）は、その断面を拡大したものである。なお、図２（ａ）及び（ｂ）において、中央部は、両側部と同様の構造が連続しているので省略している。以下、中央部を省略した他の図において、図示で省略した中央部の構造はその両側部の構造と同様である。
踏み仕上げ材１は、階段下地の踏み面部を覆い、踏み面部の表面を仕上げるために用いられる部材である。踏み仕上げ材１は、貼り付け手段を介して階段下地の踏み面部の表面に貼り付けて使用される。前記貼付手段としては、吸着部、粘着剤層、接着剤層などが挙げられる。
踏み仕上げ材１は、例えば、階段下地の１段分の踏み面部の形状に適合するように、平面視略長方形状に形成されている。また、踏み仕上げ材１の長手方向長さは、１段分の踏み面部の幅方向長さと合致するように形成されている。
踏み仕上げ材１は、硬質の板状体であってもよいが、施工し易い点から柔軟性を有するシート体から構成されていることが好ましい。本明細書において「柔軟性を有するシート体」は、例えば、直径１０ｃｍの芯材の周囲にロール状に巻き付けることができるものをいう。
図示例の踏み仕上げ材１は、柔軟性を有するシート体から構成されている。
踏み仕上げ材１の厚みは、特に限定されず、例えば、１ｍｍ〜５ｍｍであり、好ましくは、１．５ｍｍ〜３ｍｍである。
【００１４】
踏み仕上げ材１は、柔軟性を有するシート本体１１と、シート本体１１の裏面に設けられた吸着部１２（貼り付け手段）と、から構成されている。
シート本体１１は、例えば、図２（ｃ）に示すように、裏面側から表面側へ順に、裏層１１１、中間基材層１１２、及び表層１１３を有する。表層１１３の表面は、平滑状であるが、必要に応じて、表層１１３の表面にエンボス凹凸が形成されていてもよい。
裏層１１１は、１層でもよいが、好ましくは、裏側基材層１１１１及び裏側樹脂層１１１２を有し、これらが複数積層されていてもよい。図示例では、裏層１１１は、裏面側から表面側へ順に、裏側基材層１１１１及び裏側樹脂層１１１２が積層されたものからなる。
表層１１３は、１層でもよいが、好ましくは、傷付き防止層１１３３、保護層１１３２、化粧層１１３１、表側樹脂層から選ばれる２つ以上が積層される。図示例では、表層１１３は、裏面側から表面側へ順に、化粧層１１３１、保護層１１３２、及び傷付き防止層１１３３が積層されたものからなる。
【００１５】
前記裏側樹脂層１１１２及び表側樹脂層は、それぞれ独立して、発泡体でもよく或いは非発泡体でもよいが、発泡体で形成されることが好ましい。これによって、踏み仕上げ材１に不陸隠蔽性、防滑性及び消音性を付与できる上、施工時に巾木仕上げ材４を踏み仕上げ材１の表面に接して取り付けた際に、巾木仕上げ材4がシート本体１１に食い込み、より強固な階段仕上げ構造を構築できる。
前記裏側樹脂層１１１２及び表側樹脂層は、それぞれ独立して、主成分樹脂として軟質合成樹脂を含む樹脂層であることが好ましい。軟質合成樹脂としては、塩化ビニルや塩化ビニル−酢酸ビニル共重合体などの塩化ビニル系樹脂；ポリオレフィン系樹脂；ウレタン系樹脂；エチレン−酢酸ビニル共重合体などの酢酸ビニル系樹脂；オレフィン系エラストマー、スチレン系エラストマーなどの各種エラストマー；ゴムなどが挙げられる。これらは、１種単独で、又は２種以上を併用できる。安価で且つ優れた柔軟性及び耐久性を有する点から、裏側樹脂層１１１２及び表側樹脂層は、塩化ビニル系樹脂を主成分樹脂とする樹脂層であることが好ましい。
前記裏側基材層１１１１及び中間基材層１１２は、それぞれ独立して、フェルト、不織布、織布、紙などが用いられる。
前記傷付き防止層１１３３は、例えば、紫外線硬化型樹脂などで形成され、前記保護層１１３２は、例えば、塩化ビニル系樹脂などの軟質合成樹脂から形成され、化粧層１１３１は、例えば、デザインが付与された軟質合成樹脂層、デザインインキ、デザイン転写フィルムなどから形成される。
【００１６】
吸着部１２は、踏み仕上げ材１を踏み面部に対して吸着して踏み仕上げ材１を貼り付けるために設けられている。つまり、吸着部１２は、踏み仕上げ材１が踏み面部の面方向及び鉛直方向にずれないように、踏み面部を固定する。
吸着部１２は、シート本体１１の裏面にベタ状に設けられていてもよい（図示せず）。図示例では、吸着部１２は、シート本体１１の裏面の全体に設けられておらず、シート本体１１の裏面に部分的に設けられている。つまり、踏み仕上げ材１の裏面は、シート本体１１の裏面が部分的に露出している。吸着部１２の形成範囲を判りやすく図示するため、図２（ｂ）において、便宜上、吸着部１２に網掛けを付加している。
図示例では、吸着部１２は、シート本体１１の裏面から突設された複数の凸状からなり、例えば、シート本体１１の裏面から鉛直に突出された、平面視帯状の複数の凸状からなる。帯凸状の各吸着部１２は、いずれもシート本体１１の第１方向に延びており、複数の吸着部１２が、シート本体１１の第２方向に略平行に並設されている。平面視略長方形状に形成されている踏み仕上げ材１においては、前記第１方向は、図示例のように長手方向でもよく、或いは、短手方向でもよく、或いは、長手方向に対して傾斜する方向でもよい。吸着部１２は、図２（ｂ）に示すように、複数の凸状がシート本体１１の長手方向に延びて形成されていることが好ましく、これによって、踏み仕上げ材１を踏み面部に安定して取り付けることができる。
【００１７】
吸着部１２の形成材料としては、例えば、柔軟性を有する発泡樹脂、軟質ゴムなどが挙げられる。特に、吸着部１２の形成材料としては、柔軟性を有する発泡樹脂が好ましい。柔軟性を有する発泡樹脂は、その裏面に複数の微細孔を有する多孔質構造である。前記発泡樹脂は、連続気泡構造又は独立気泡構造の何れでもよいが、吸盤機能を十分に有し、高い吸着力を発揮することから、連続気泡構造が好ましい。前記発泡樹脂の材質は、特に限定されず、例えば、アクリル樹脂、ウレタン樹脂、エチレン−酢酸ビニル、ポリビニルアルコール、ポリ酢酸ビニル、エポキシ樹脂、アクリル酸エステル、ポリエステルなどの熱可塑性樹脂などが挙げられる。密着性に優れることから、吸着部１２の形成材料として、アクリル樹脂を発泡させた発泡アクリル樹脂を用いることが好ましい。発泡樹脂の発泡倍率は、特に限定されないが、階段下地に対して十分に密着し且つ材料破壊を生じ難くする観点から、１．１倍〜６倍が好ましく、１．６倍〜２倍がより好ましく、さらに、１．６倍以上２倍未満が特に好ましい。
凸状の吸着部１２の突出高さは、特に限定されず、例えば、０．１ｍｍ〜０．５ｍｍである。
【００１８】
なお、上記踏み仕上げ材１のシート本体１１は、裏層１１１、中間基材層１１２及び表層１１３を有するが、表層１１３及び裏層１１１のみから構成されていてもよく、或いは、表層１１３及び中間基材層１１２のみから構成されていてもよく、或いは、表層１１３のみから構成されていてもよい。
また、上記踏み仕上げ材１は、シート本体１１の裏面に吸着部１２が設けられているが、吸着部１２を有さないものでもよい。吸着部１２を有さない踏み仕上げ材１にあっては、シート本体１１の裏面に、貼り付け手段として粘着剤層が設けられていてもよい。
本明細書において、「粘着剤層」は、粘着剤を直接塗布して形成されるものの他、両面粘着テープ（両面粘着テープは、薄いウェブの両面に粘着剤が塗布されたものをいう）を貼り付けることによって形成されるものも含まれる。また、本明細書に記載の「粘着剤層」の厚みは、特に限定されないが、例えば、０．１ｍｍ〜０．５ｍｍである。なお、踏み仕上げ材１などの各部材に粘着剤層が設けられる場合、その粘着面を保護するため、通常、その粘着面に離型紙が仮貼付される（離型紙は不図示である）。
【００１９】
＜蹴込み仕上げ材＞
図３（ａ）は、蹴込み仕上げ材３を表面側から見た平面図、（ｂ）は、蹴込み仕上げ材３の断面を拡大したものである。
蹴込み仕上げ材３は、階段下地の蹴込み面部を覆い、蹴込み面部の表面を仕上げるために用いられる部材である。蹴込み仕上げ材３は、例えば、粘着剤層又は接着剤層などの貼り付け手段を介して階段下地の蹴込み面部の表面に貼り付けて使用される。
蹴込み仕上げ材３は、例えば、階段下地の１段分の蹴込み面部の形状に適合するように、平面視略長方形状に形成されている。また、蹴込み仕上げ材３の長手方向長さは、１段分の蹴込み面部の幅方向長さと合致するように形成されている。
蹴込み仕上げ材３は、硬質の板状体であってもよいが、施工し易い点から柔軟性を有するシート体から構成されていることが好ましい。
図示例の蹴込み仕上げ材３は、軟質のシート体から構成されている。
蹴込み仕上げ材３の厚みは、特に限定されず、例えば、１ｍｍ〜５ｍｍであり、好ましくは、１．５ｍｍ〜３ｍｍである。
【００２０】
蹴込み仕上げ材３は、シート本体３１と、シート本体３１の裏面全体に設けられた粘着剤層３２（貼り付け手段）と、を有する。粘着剤層３２の粘着面を保護する離型紙は、不図示である。
蹴込み仕上げ材３のシート本体３１の詳細は、上記＜踏み仕上げ材＞と同様である。そのため、蹴込み仕上げ材３のシート本体３１の説明は、上記＜踏み仕上げ材＞の欄の「踏み仕上げ材１」、「シート本体１１」及び「踏み面部」を「蹴込み仕上げ材３」、「シート本体３１」及び「蹴込み面部」に読み替えることにより、蹴込み仕上げ材３のシート本体３１の具体例をここで説明したものとする。
【００２１】
図３では、蹴込み仕上げ材３のシート本体３１の裏面に粘着剤層３２が設けられているが、粘着剤層が設けられていない蹴込み仕上げ材３であってもよい。また、蹴込み仕上げ材３のシート本体３１の裏面にも踏み仕上げ材１と同様な吸着部１２が設けられていてもよい。
また、蹴込み仕上げ材３のシート本体３１は、踏み仕上げ材と異なる材料でもよく、例えば、壁紙、タックシートなどで形成してもよい。
【００２２】
＜段鼻仕上げ材＞
図４（ａ）は、段鼻仕上げ材２の斜視図、（ｂ）は、段鼻仕上げ材２を上板部側から見た平面図、（ｃ）は、その右側面図である。
段鼻仕上げ材２は、階段下地の段鼻部を覆い、段鼻部の表面を仕上げるために用いられる部材である。段鼻仕上げ材２は、例えば、粘着剤層又は接着剤層などの貼り付け手段を介して階段下地の段鼻部の表面に貼り付けて使用される。粘着剤層は、乾燥が不要で短時間で固定できるので、施工が容易となる。接着剤層は、施工時に貼り直しができ位置調整が容易となり、また乾燥後に強固に固定できる。
段鼻仕上げ材２は、例えば、階段下地の１段分の段鼻部の形状に適合するように、側面視略コの字状に形成されている。また、段鼻仕上げ材２は、１段分の段鼻部の幅方向長さと合致する長さの長尺状に形成されている。
段鼻仕上げ材２は、軟質であってもよいが、施工し易い点から硬質であることが好ましい。
また、段鼻仕上げ材２は、軟質の層及び硬質の層を有する２層以上の積層体で構成してもよい。例えば、下層を硬質の層とし且つ上層を軟質の層で構成した段鼻仕上げ材２は、施工性を維持しつつ、階段昇降時の防滑性を高めることができるので好ましい。
【００２３】
本明細書において、「硬質」は、ショアＤ硬度が６０以上のものをいい、「軟質」は、６０未満のものをいう。ショアＤ硬度は、ＪＩＳ  Ｋ  ７２１５：１９８６に従い、デュロメーター型式Ｄのアスカーゴム硬度計（高分子計器株式会社製）を用いて測定することができる。なお、硬質のものは、前述のようにショアＤ硬度によって規定できるが、人力で曲げることができるもの又は人力で曲げることができないものの何れであってもよい。
図示例の段鼻仕上げ材２は、硬質のものから構成され、好ましくは、人力で曲げることができる硬質のものから構成されている。
硬質の段鼻仕上げ材２の形成材料は、特に限定されず、硬質合成樹脂、金属、木材などが挙げられるが、容易に成形できることから、硬質合成樹脂が好ましい。なお、軟質の段鼻仕上げ材２は、例えば、軟質合成樹脂やゴムなどから形成される。
【００２４】
段鼻仕上げ材２は、階段下地の段鼻部の上面を覆う上板部２１と、階段下地の段鼻部の前面を覆う前板部２２と、階段下地の段鼻部の下面を覆う下板部２３と、を有し、それらが一体的に形成されている。
例えば、上板部２１と前板部２２は、略直角状に連結され、且つ、前板部２２と下板部２３は、略直角状に連結されている。好ましくは、段鼻仕上げ材２は、上板部２１、前板部２２及び下板部２３が１つの形成材料で一体成形された成形品からなる。前記上板部２１は、段鼻部の上面の形状に適合するように略長方形状に形成され、前板部２２は、段鼻部の前面の形状に適合するように略長方形状に形成され、下板部２３は、段鼻部の下面の形状に適合するように略長方形状に形成されている。従って、段鼻仕上げ材２は、側面視略コの字状が連続する長尺コの字状である。
上板部２１、前板部２２及び下板部２３の短手方向長さは、特に限定されず、適宜設定できる。例えば、上板部２１の短手方向長さ（内寸基準）は、１０ｍｍ〜１００ｍｍであり、前板部２２の短手方向長さ（内寸基準）は、２０ｍｍ〜７０ｍｍであり、下板部２３の短手方向長さ（内寸基準）は、１０ｍｍ〜１００ｍｍである。
【００２５】
上板部２１の表面には、必要に応じて、凹凸面が形成されている。凹凸面は、足裏の滑りを防止するためのものである。図示例では、上板部２１の表面に複数の凸部２４を形成することによって、凹凸面が形成されている。なお、特に図示しないが、凸部２４とは反対に凹部を形成してもよく、その場合でも同様に上板部２１に凹凸面を形成できる。
前記凹凸面は、上板部２１の表面全体に形成されていてもよいが、巾木仕上げ材４の端面を上板部２１の表面に隙間無く当接させることができることから、前記凹凸面は、上板部２１の表面のうち上板部２１の両側部２１ｘ，２１ｘを除いた領域内に形成されていることが好ましい。
前記上板部２１のうち、両側部２１ｘ，２１ｘを除いた領域において、図４（ａ）及び（ｂ）に示すように、短手方向に連続する平坦面２１ｙを１箇所又は複数箇所有した状態で凸部２４が形成されていてもよく、或いは、凸部２４が実質的に隙間無く連なって形成されていてもよい（図示せず）。両側部２１ｘ，２１ｘを除いた領域に、短手方向に連続する平坦面２１ｙを有しつつ凸部２４が形成されていることにより、清掃時にゴミを掃き出し易くなる。他方、両側部２１ｘ，２１ｘを除いた領域に、凸部２４が実質的に隙間無く連なって形成されている場合（つまり、短手方向に連続する平坦面２１ｙを有さない状態で凸部２４が形成されている場合）、押出成形などによって段鼻仕上げ材２を容易に製造できる。
また、凸部２４を発泡樹脂で形成してもよい。発泡樹脂からなる凸部２４は、加圧によって柔軟に変形する。このため、発泡樹脂からなる凸部２４が上板部２１の両側部２１ｘ，２１ｘを含む領域に形成されている段鼻仕上げ材２は、巾木仕上げ材４の端面を上板部２１の表面に隙間無く当接させることができる。
凸部２４の高さ（又は凹部の深さ）は、特に限定されず、例えば、０．３ｍｍ〜１ｍｍである。
【００２６】
上板部２１、前板部２２及び下板部２３の各厚みは、特に限定されないが、それぞれ独立して、例えば、１ｍｍ〜５ｍｍであり、好ましくは、１．５ｍｍ〜３ｍｍである。
特に、上板部２１の厚みは、踏み仕上げ材１の厚みと同じとされていることが好ましい。上板部２１と踏み仕上げ材１が同厚であることにより、後述するように、上板部２１と踏み仕上げ材１の境界部分に段差が生じ難くなる上、横巾木部材６（巾木仕上げ材４）の端面を上板部２１の表面及び踏み仕上げ材１の表面の双方に隙間無く当接させることができる。
上板部２１、前板部２２及び下板部２３の各厚みは、全て同じでもよく、互いに厚みが異なっていてもよい。通常、上板部２１、前板部２２及び下板部２３は、全て同じ厚みに形成される。
【００２７】
また、必要に応じて、段鼻仕上げ材２の裏面には、粘着剤層２５又は接着剤層が設けられる。図示例では、上板部２１、前板部２２及び下板部２３の裏面に、それぞれ粘着剤層２５が設けられている。粘着剤層２５に仮貼付される離型紙は不図示である。
粘着剤層２５は、上板部２１、前板部２２及び下板部２３の裏面の全体に亘ってベタ状に設けられていてもよく、上板部２１、前板部２２及び下板部２３の裏面にそれぞれ独立して設けられていてもよい。図示例では、図４（ｃ）に示すように、１つの粘着剤層２５が、上板部２１の裏面のうち、上板部２１の縁から前板部２２との境界近傍まで設けられ、もう１つの粘着剤層２５が、前板部２２の中途領域に設けられ、もう１つの粘着剤層２５が、下板部２３の裏面のうち、下板部２３の縁から前板部２２との境界近傍まで設けられている。
【００２８】
＜巾木仕上げ材＞
図５（ａ）は、巾木仕上げ材４のうち縦巾木部材５の斜視図、（ｂ）は、その表面側から見た平面図、（ｃ）は、その右側面図である。
図６（ａ）は、巾木仕上げ材４のうち横巾木部材６の斜視図、（ｂ）は、その表面側から見た平面図、（ｃ）は、その右側面図である。
巾木仕上げ材４は、縦巾木部材５及び横巾木部材６から構成される。階段仕上げ材Ａにおいては、左右一対の側面壁下地に対応して、縦巾木部材５及び横巾木部材６からなる巾木仕上げ材４は、左右一対具備される（図１参照）。左右一対の巾木仕上げ材４は、対称形である点を除いて、同一である。
縦巾木部材５は、段鼻仕上げ材２及び蹴込み仕上げ材３の表面に接しつつ階段下地の入隅部に取り付けられる部材である。
なお、縦巾木部材５は、段鼻仕上げ材２の表面全体及び蹴込み仕上げ材３の表面全体に接して取り付けられる場合もあれば、段鼻仕上げ材２の表面の少なくとも一部分及び蹴込み仕上げ材３の表面の少なくとも一部分に接して取り付けられる場合もある。
横巾木部材６は、段鼻仕上げ材２の上板部２１及び踏み仕上げ材１の表面に接しつつ階段下地の入隅部に取り付けられる部材である。
なお、横巾木部材６は、段鼻仕上げ材２の上板部２１の表面全体及び踏み仕上げ材１の表面全体に接して取り付けられる場合もあれば、段鼻仕上げ材２の上板部２１の表面の少なくとも一部分及び踏み仕上げ材１の表面の少なくとも一部分に接して取り付けられる場合もある。
【００２９】
縦巾木部材５及び横巾木部材６は、それぞれ独立して、軟質であってもよく、或いは、硬質であってもよい。少なくとも横巾木部材６が硬質であると、施工し易く、また、踏み仕上げ材１及び段鼻仕上げ材２を上方から押さえて強固な階段仕上げ構造を構築できる。一方、縦巾木部材５及び横巾木部材６が軟質であると、不陸に追随し易く、曲面にも容易に貼り付けることができる。
図示例の縦巾木部材５及び横巾木部材６は、いずれも硬質のものから構成され、好ましくは、人力で曲げることができる硬質のものから構成されている。
硬質の縦巾木部材５及び横巾木部材６の形成材料は、特に限定されず、硬質合成樹脂、金属、木材などが挙げられるが、容易に成形できることから、硬質合成樹脂が好ましい。なお、軟質の段鼻仕上げ材２は、例えば、軟質合成樹脂やゴムなどから形成される。
縦巾木部材５及び横巾木部材６の厚みは、特に限定されず、例えば、それぞれ独立して、３ｍｍ〜１５ｍｍであり、好ましくは、５ｍｍ〜１２ｍｍである。縦巾木部材５と横巾木部材６は、異なる厚みであってもよいが、通常、同じ厚みとされる。
【００３０】
図５を参照して、縦巾木部材５は、全体として帯状であり、短手方向一方側に段鼻仕上げ材２の外側に嵌合する嵌合凹み５１が形成されている。嵌合凹み５１は、平面視で略矩形状に形成されている。嵌合凹み５１を画成する３つの端面がそれぞれ段鼻仕上げ材２の上板部２１、前板部２２及び下板部２３に接するように、嵌合凹み５１は段鼻仕上げ材２の外形に適合するように形成されている。これら３つの端面は、それぞれ側面視で平坦状（平面視で直線状）であり、互いに直交状に配置されている。なお、本明細書において、「端面」は、部材の厚みを構成する面をいう。
嵌合凹み５１の縦長さ５１Ｔは、施工時に踏み仕上げ材１及び段鼻仕上げ材２を押さえることができればよく、例えば、２１ｍｍ〜７１ｍｍである。嵌合凹み５１の横長さ５１Ｗは、段鼻仕上げ材２の上板部２１の短手方向長さよりも小さいことが好ましく、例えば、５ｍｍ〜９０ｍｍである。
また、縦巾木部材５の短手方向一方側には、前記嵌合凹み５１を除いて、蹴込み仕上げ材３に接する端面５ａが形成されている。この端面５ａ（この端面５ａを、蹴込み対応端面５ａという）は、側面視で平坦状（平面視で直線状）である。なお、縦巾木部材５の短手方向反対側には、蹴込み対応端面５ａと平行な端面が形成されている。
【００３１】
さらに、縦巾木部材５の長手方向一方側には、横巾木部材６の第１接合端面６ｂに接する第１接合端面５ｂが形成され、縦巾木部材５の長手方向反対側には、横巾木部材６の第２接合端面６ｃに接する第２接合端面５ｃが形成されている。第１接合端面５ｂは、側面視で平坦状であり、平面視で蹴込み対応端面５ａに対して鈍角（例えば、１３５度）を成した直線状である。第２接合端面５ｃは、側面視で平坦状であり、平面視で蹴込み対応端面５ａに対して鋭角（例えば４５度）を成した直線状である。
必要に応じて、縦巾木部材５の裏面には、粘着剤層５２又は接着剤層が設けられる。図示例では、粘着剤層５２は、縦巾木部材５の裏面全体に設けられている。もっとも、縦巾木部材５の一部分に粘着剤層５２が設けられていてもよい。例えば、縦巾木部材５の周辺部のみに粘着剤層５２が設けられていてもよい。
【００３２】
図６を参照して、横巾木部材６は、全体として帯状である。
横巾木部材６の短手方向一方側には、踏み仕上げ材１及び段鼻仕上げ材２の上板部２１の一部分に接する端面６ａが形成されている。換言すると、横巾木部材６の長手方向長さは、踏み仕上げ材１よりも少し長く形成されている。この端面６ａ（この端面６ａを、踏み対応端面６ａという）は、側面視で平坦状（平面視で直線状）である。なお、横巾木部材６の短手方向反対側には、踏み対応端面６ａと平行な端面が形成されている。
さらに、横巾木部材６の長手方向一方側には、縦巾木部材５の第１接合端面５ｂに接する第１接合端面６ｂが形成され、横巾木部材６の長手方向反対側には、縦巾木部材５の第２接合端面５ｃに接する第２接合端面６ｃが形成されている。第１接合端面６ｂは、側面視で平坦状であり、平面視で踏み対応端面６ａに対して鈍角（例えば、１３５度）を成した直線状である。第２接合端面６ｃは、側面視で平坦状であり、平面視で踏み対応端面６ａに対して鋭角（例えば４５度）を成した直線状である。
必要に応じて、横巾木部材６の裏面には、粘着剤層６２又は接着剤層が設けられる。図示例では、粘着剤層６２は、横巾木部材６の裏面全体に設けられている。もっとも、横巾木部材６の一部分に粘着剤層６２が設けられていてもよい。例えば、横巾木部材６の周辺部のみに粘着剤層６２が設けられていてもよい。
【００３３】
［階段仕上げ構造］
図７は、階段仕上げ構造Ｂを上面側から見た平面図、図８は、階段仕上げ構造Ｂを左右方向で切断したときの端面図（端面図は、切断面のみを表した図である）、図９は、階段仕上げ構造Ｂを上下方向で切断したときの断面図である。
図７乃至図９において、階段の上段及び下段は、同一構造が繰り返されるので省略している。また、図９において、段鼻仕上げ材２の上板部２１に形成された凹凸面は不図示である。
図１０は、階段下地８を上下方向で切断したときの断面図である。
【００３４】
図１０を参照して、階段下地８は、一対の側面壁下地の間に構築されており、交互に配置された複数の踏み面部８１及び蹴込み面部８３と、前記踏み面部８１の前端から突出され且つ蹴込み面部８３の表面よりも前方に突出された段鼻部８２と、を有する。
段鼻部８２の前端から踏み面部８１の後端までの長さＺ１は、特に限定されないが、例えば、１５０ｍｍ〜３２０ｍｍである。段鼻部８２の厚みＺ２は、特に限定されないが、例えば、２０ｍｍ〜６０ｍｍである。段鼻部８２の長さＺ３は、特に限定されないが、例えば、２０ｍｍ〜８０ｍｍである。また、階段下地８の幅方向長さ（階段下地８の幅方向長さは、一対の側面下地間の距離に略等しい）は、特に限定されないが、例えば、７００ｍｍ〜２０００ｍｍである。
【００３５】
図７乃至図９を参照して、階段仕上げ構造Ｂは、一対の側面壁下地９，９と、階段下地８と、上記踏み仕上げ材１、段鼻仕上げ材２及び巾木仕上げ材４を含む階段仕上げ材Ａと、を有する。
前記階段下地８の踏み面部８１には、踏み仕上げ材１が取り付けられ、階段下地８の段鼻部８２には、段鼻仕上げ材２が取り付けられ、階段下地８の蹴込み面部８３には、蹴込み仕上げ材３が取り付けられている。また、階段下地８と一対の側面壁下地９，９の間の入隅部９１，９１には、それぞれ巾木仕上げ材４が取り付けられている。巾木仕上げ材４の縦巾木部材５は、段鼻仕上げ材２の上板部２１及び前板部２２を押さえつつ側面壁下地９の入隅部９１に取り付けられ、巾木仕上げ材４の横巾木部材６は、段鼻仕上げ材２の上板部２１及び踏み仕上げ材１を押さえつつ側面壁下地９の入隅部９１に取り付けられている。
【００３６】
具体的には、一対の側面壁下地９は、仕上げ前の状態であるが、強度的には問題なく機能する側面壁である。階段下地８も、仕上げ前の状態であるが、強度的には問題なく機能する階段である。つまり、側面壁下地９及び階段下地８は、それを利用者が昇降することに何ら支障がなく、強度的に完成した状態であるが、未仕上げであるため外観的に未完成の状態である。
側面壁下地９は、従来公知の建材、例えば、石膏ボード、ベニヤ板やコンクリートパネル（いわゆるコンパネ）などの合板、コンクリートなどで構築されている。階段下地８も、従来公知の建材、例えば、ベニヤ板やコンクリートパネル（いわゆるコンパネ）などの合板、コンクリートなどで構築されている。なお、図９に示す例では、踏み面部８１と段鼻部８２が１枚の建材（例えば、コンパネなど）で一体的に形成されているが、踏み面部８１と段鼻部８２を別々の建材で構成し、踏み面部８１の前方の段鼻部８２を固着してもよい。また、図示例では、蹴込み面部８３と踏み面部８１及び段鼻部８２とが別々の建材で構成され且つそれらが固着されているが、それらを１つの成形品で構成してもよい。
【００３７】
踏み仕上げ材１は、踏み面部８１の表面に貼り付けられている。上述のように、吸着部１２が設けられた踏み仕上げ材１は、吸着部１２を介して踏み面部８１の表面に密着して貼り付いている。吸着部１２は、踏み面部８１に密着するが、接着剤や粘着剤のように物理的に接着していないので、踏み仕上げ材１の剥離や位置調整を容易に行うことができる。
なお、踏み仕上げ材１は、粘着剤層或いは接着剤層を介して踏み面部８１に貼り付けられていてもよい。
図８及び図９に示すように、踏み仕上げ材１の後端は、蹴込み面部８３に接し又は蹴込み面部８３の近傍に位置し、踏み仕上げ材１の前端は、段鼻部８２と踏み面部８１の境界又はその境界の近傍に位置し、踏み仕上げ材１の両側端は、側面壁下地９に接し又は側面壁下地９の近傍に位置している。
【００３８】
蹴込み仕上げ材３は、蹴込み面部８３の表面に貼り付けられている。上述のように、粘着剤層３２が設けられた蹴込み仕上げ材３は、粘着剤層３２を介して蹴込み面部８３の表面に接着されている。なお、粘着剤層３２を有さない蹴込み仕上げ材３は、例えば接着剤層を介して蹴込み面部８３に貼り付けられていてもよい。
図９に示すように、蹴込み仕上げ材３の下端は、踏み仕上げ材１の表面に接し又はその表面の近傍に位置し、蹴込み仕上げ材３の上端は、段鼻部８２と蹴込み面部８３の境界又はその境界の近傍に位置している。また、蹴込み仕上げ材３の両側端は、側面壁下地９に接し又は側面壁下地９の近傍に位置している。
【００３９】
なお、特に図示しないが、蹴込み仕上げ材３の下端が、踏み面部８１に接し又はその踏み面部８１の近傍に位置し、踏み仕上げ材１の後端が、その蹴込み仕上げ材３の表面に接し又はその表面の近傍に位置していてもよい。要は、踏み仕上げ材１と蹴込み仕上げ材３が協働して踏み面部８１と蹴込み面部８３の間の入隅部を隠蔽するように、踏み仕上げ材１及び蹴込み仕上げ材３が取り付けられていればよい。
【００４０】
段鼻仕上げ材２は、段鼻部８２に貼り付けられている。すなわち、段鼻仕上げ材２の上板部２１は、段鼻部８２の上面に貼り付けられ、段鼻仕上げ材２の前板部２２は、段鼻部８２の前面に貼り付けられ、段鼻仕上げ材２の下板部２３は、段鼻部８２の下面に貼り付けられている。上述のように、上板部２１、前板部２２及び下板部２３の裏面に粘着剤層２５が設けられた段鼻仕上げ材２は、粘着剤層２５を介して段鼻部８２の上面、前面及び下面に接着されている。
図９に示すように、段鼻仕上げ材２の上板部２１の後端は、踏み仕上げ材１の前端に接している。踏み仕上げ材１と上板部２１の厚みが同じである場合には、上板部２１と踏み仕上げ材１の境界部分に段差が生じ難くなる。なお、踏み仕上げ材１を貼り付けるための貼り付け手段（例えば、吸着部１２など）の厚みと段鼻仕上げ材２を貼り付けるための貼り付け手段（例えば、粘着剤層など）の厚みが、同一でない場合であっても、それらの厚みは踏み仕上げ材１や上板部２１の厚みに比して薄く、さらに、貼り付け手段は、荷重によって変形して更に薄くなるので、それらの厚み差は前記段差の発生に実質的に影響を与えない。
【００４１】
また、段鼻仕上げ材２の下板部２３の後端は、蹴込み面部８３に接し又は蹴込み面部８３の近傍に位置し、蹴込み仕上げ材３の上端は、下板部２３に接し又はその下板部２３の近傍に位置している。
なお、特に図示しないが、蹴込み仕上げ材３の上端が、段鼻部８２の下面に接し又はその下面の近傍に位置し、段鼻仕上げ材２の下板部２３の後端が、その蹴込み仕上げ材３の表面に接し又はその表面の近傍に位置していてもよい。要は、下板部２３と蹴込み仕上げ材３が協働して段鼻部８２と蹴込み面部８３の間の入隅部を隠蔽するように、段鼻仕上げ材２及び蹴込み仕上げ材３が取り付けられていればよい。
【００４２】
巾木仕上げ材４の縦巾木部材５は、嵌合凹み５１が段鼻仕上げ材２の外側に嵌合した状態で、嵌合凹み５１の端面が上板部２１及び前板部２２に接して上板部２１及び前板部２２を押さえ且つ蹴込み対応端面５ａが蹴込み仕上げ材３の表面に接して蹴込み仕上げ材３を押さえつつ、入隅部９１（側面壁下地９の一部分）に貼り付けられている。嵌合凹み５１は、下板部２３に接していてもよく或いは接していなくてもよいが、図９に示すように、嵌合凹み５１の端面が下板部２３に接することによって、より強固に段鼻仕上げ材２を固定することができる。
巾木仕上げ材４の横巾木部材６は、踏み対応端面６ａが踏み仕上げ材１の表面及び踏み仕上げ材１に連続する上板部２１の一部分の表面に接してそれらを押さえつつ、入隅部９１（側面壁下地９の一部分）に貼り付けられている。踏み仕上げ材１と上板部２１の厚みが同じである場合には、横巾木部材６の踏み対応端面６ａを踏み仕上げ材１の表面及び上板部２１の表面に隙間無く当接させることができる。
上述のように、裏面に粘着剤層５２，６２が設けられた縦巾木部材５及び横巾木部材６は、粘着剤層５２，６２を介して側面壁下地９に接着されている。
また、縦巾木部材５の第１接合端面５ｂと横巾木部材６の第１接合端面６ｂは、互いに接し、側面視で傾斜直線状に接合されている。縦巾木部材５の第２接合端面５ｃと横巾木部材６の第２接合端面６ｃは、互いに接し、側面視で傾斜直線状に接合されている。なお、前記第１接合端面５ｂ，６ｂ間及び／又は第２接合端面５ｃ，６ｃ間を、接着剤などを用いて接着してもよい。
なお、符号９２は、側面壁下地９に貼り付けられた壁紙（側面壁下地９を装飾する仕上げ材）を示す。
【００４３】
上記階段仕上げ構造Ｂは、例えば、次のようにして施工できる。
既に構築されている階段下地８の段鼻部８２に、段鼻仕上げ材２を貼り付ける。次に、階段下地８の踏み面部８１に、貼り付け手段を介して踏み仕上げ材１を貼り付け、蹴込み面部８３に、貼り付け手段を介して蹴込み仕上げ材３を貼り付ける。なお、段鼻仕上げ材２、踏み仕上げ材１及び蹴込み仕上げ材３の施工順序は、前記順序に限られず、適宜変更できる。また、段鼻仕上げ材２、踏み仕上げ材１及び蹴込み仕上げ材３は、それらの長手方向を階段下地８の幅方向と略平行にして施工される。
また、踏み仕上げ材１に予め貼り付け手段が設けられていない場合には、踏み仕上げ材１の裏面及び／又は踏み面部８１の表面に、接着剤を塗布又は両面粘着テープを貼り付けた上で施工すればよい。蹴込み仕上げ材３及び段鼻仕上げ材２に予め貼り付け手段が設けられていない場合についても同様である。
次に、縦巾木部材５の嵌合凹み５１を段鼻仕上げ材２に嵌め、縦巾木部材５を段鼻仕上げ材２及び蹴込み仕上げ材３の方向へ押しつけながら、貼り付け手段を介して縦巾木部材５を入隅部９１（側面壁下地９）に貼り付ける。横巾木部材６を蹴込み仕上げ材３の方向へ押しつけながら、貼り付け手段を介して横巾木部材６を入隅部９１（側面壁下地９）に貼り付ける。この際、横巾木部材６の第１接合端面６ｂは縦巾木部材５の第１接合端面５ｂに接する。なお、横巾木部材６を貼り付けた後、縦巾木部材５を貼り付けてもよい。
また、縦巾木部材５に予め貼り付け手段が設けられていない場合には、縦巾木部材５の裏面及び／又は対応する入隅部９１の表面に、接着剤を塗布又は両面粘着テープを貼り付けた上で施工すればよい。横巾木部材６に予め貼り付け手段が設けられていない場合についても同様である。
なお、階段下地８の表面に僅かな凹凸がある場合、平滑化処理をした後に、踏み仕上げ材１、蹴込み仕上げ材３及び段鼻仕上げ材２を貼り付けてもよい。
【００４４】
凸部２４を含む凹凸面が形成されている段鼻仕上げ材２の上板部２１において、その凹凸面が両側部２１ｘ，２１ｘを除いて形成されている上板部２１を用いた場合には、その側部に縦巾木部材５の嵌合凹み５１の端面及び横巾木部材６の踏み対応端面６ａが隙間無く当接するようになる。このため、仕上げ外観が綺麗である上、ゴミなどが入り込み難くなる。
なお、凸部２４が発泡樹脂からなる場合には、その凸部２４が上板部２１の両側部２１ｘ，２１ｘを含む領域に形成されていても、凸部２４が適宜圧縮されるので、その側部２１ｘ，２１ｘに縦巾木部材５の嵌合凹み５１の端面及び横巾木部材６の踏み対応端面６ａが隙間無く当接するようになる。
【００４５】
本発明の階段仕上げ材Ａは、階段１段を仕上げるための踏み仕上げ材１、段鼻仕上げ材２及び巾木仕上げ材４（好ましくは、さらに蹴込み仕上げ材３）を有するので、階段下地８を装飾して仕上げることができる。踏み仕上げ材１、蹴込み仕上げ材３、段鼻仕上げ材２及び巾木仕上げ材４は、それぞれ踏み面部８１、蹴込み面部８３、段鼻部８２及び入隅部９１に適合する形状に形成されているので、これらを簡単に階段下地８に施工することができる。特に、これらの部材の裏面に貼り付け手段が具備されている場合には、施工時に接着剤などを塗布する必要がなく、極めて簡単に施工できる。本発明によれば、住宅などの建物の建築の初期段階で、階段下地８のみを設置し、これを養生することなくそのまま作業者が昇降に使用し、建築の終盤で、階段仕上げ材Ａを施工して綺麗な状態で施主に引き渡すことが可能となる。
本発明の階段仕上げ材Ａは、比較的簡単に施工できるため、大工だけでなく、例えば、壁紙などの施工専門業者である内装工でも、階段下地８を綺麗に仕上げることができる。このため、建物の建築工程において、先ず階段下地８を構築して、作業者の階上及び階下への移動を確保し、その後、壁紙などの内装や建具などを仕上げた後、或いは、それらを仕上げるときに並行して、階段下地８に本発明の階段仕上げ材Ａを施工して階段を仕上げることもできる。
【００４６】
本発明の階段仕上げ材Ａを用いた階段仕上げ構造Ｂは、横巾木部材６の踏み対応端面６ａが段鼻仕上げ材２の上板部２１及び踏み仕上げ材１を押さえつつ側面壁下地９に取り付けられているので、経時的に、段鼻仕上げ材２の上板部２１及び踏み仕上げ材１が踏み面部８１から浮き上がることを抑制できる。さらに、縦巾木部材５が段鼻仕上げ材２の前板部２２を押さえつつ側面壁下地９に取り付けられているので、経時的に、段鼻仕上げ材２の前板部２２が段鼻部８２の前面から浮き上がることを抑制できる。
階段を使用する際に最も負荷が加わる段鼻部８２の上面を覆う段鼻仕上げ材２の上板部２１が、縦巾木部材５及び横巾木部材６によって押さえられているので、段鼻仕上げ材２を強固に固定できる。
また、踏み仕上げ材１は、階段下地８と別体であるため、施工中や施工後に、踏み仕上げ材１が傷ついたとき、或いは、踏み仕上げ材１が経年劣化したとき、或いは、踏み面部の意匠を変更したいときなどに、踏み仕上げ材１のみを容易に貼り替えることができる。すなわち、階段下地８の踏み面部８１はそのままにして、踏み仕上げ材１のみを容易に交換できるので、少ない費用と時間で階段の改修を行うことができる。特に、吸着部１２が設けられた踏み仕上げ材１は、容易に交換できるので、今までにない容易な貼り替えを実現することができる。
【００４７】
なお、踏み仕上げ材１の化粧層１１３の意匠を、階段に隣接する廊下や部屋床と同様な意匠にすることによって、デザインの統一感が増し、建物全体としての意匠性を向上させることができる。蹴込み仕上げ材３の意匠についても同様である。さらに、従来の住宅用階段は最終完成品であったため、木質材が用いられることが多かったが、本発明においては、踏み仕上げ材１が階段下地８と別体であるため、踏み仕上げ材１の意匠を階段下地８の表面の意匠とは関わりなく自由に設定できる。それ故、階段下地８の形成材料を、階段の意匠を考慮せずに、加工性、強度及びコストなどを考慮して選択することが可能となり、材料の選択幅が大きくなる。
【００４８】
［変形例］
上記実施形態の段鼻仕上げ材２は、上板部２１と前板部２２は、略直角状に連結されているが、例えば、図１１に示すように、上板部２１と前板部２２が鋭角状に連結されていてもよい。前記鋭角としては、例えば、上板部２１の裏面と前板部２２の裏面が成す内角が、７０度以上９０度未満であり、好ましくは８０度〜８８度である。
また、上記実施形態の段鼻仕上げ材２は、下板部２３と前板部２２は、略直角状に連結されているが、例えば、図１１に示すように、下板部２３と前板部２２が鋭角状に連結されていてもよい。前記鋭角としては、例えば、下板部２３の裏面と前板部２２の裏面が成す内角が、７０度以上９０度未満であり、好ましくは８０度〜８８度である。
上板部２１及び下板部２３の少なくとも何れか一方が前板部２２に対して鋭角状に連結されている段鼻仕上げ材２は、段鼻部８２に嵌め込んで取り付けた後、上板部２１と下板部２３が段鼻部８２を挟持するので、段鼻部８２に強固に取り付けることができる。
特に、段鼻仕上げ材２は、下板部２３が前板部２２に対して鋭角状に連結されていることが好ましい。これによって、前板部２２の寸法が段鼻部８２の厚みＺ２よりも大きくても、下板部２３の端部と段鼻部８２の下面との間に隙間なく段鼻仕上げ材２を取り付けることも可能であり、段鼻仕上げ材２の汎用性が向上する。
【００４９】
また、上記実施形態の段鼻仕上げ材２は、上板部２１の短手方向長さが段鼻部８２の上面の短手方向長さ（上面の前後方向長さ）と略同じとされているが、例えば、図１２に示すように、上板部２１の短手方向長さが段鼻部８２の上面の短手方向長さよりも大きくてもよい。かかる段鼻仕上げ材２は、同図（ｂ）に示すように、側面視において、上板部２１の長さが下板部２３の長さよりも大きい。図１３は、この変形例に係る段鼻仕上げ材２が段鼻部８２に取り付けられている階段仕上げ構造Ｂを示す。この場合、段鼻仕上げ材２の上板部２１が段鼻部８２の上面から踏み面部８１の一部分にかけて貼り付けられるので、踏み仕上げ材１は、それに対応して短手方向長さを少し小さく形成されている。
【００５０】
また、上記実施形態の段鼻仕上げ材２は、下板部２３を有する側面視略コの字状であるが、例えば、図１４に示すように、段鼻仕上げ材２は、前板部２２及び上板部２１から構成された側面視略Ｌ字状であってもよい。図１５は、この変形例に係る段鼻仕上げ材２が段鼻部８２に取り付けられている階段仕上げ構造Ｂを示す。この場合、段鼻部８２の下面は段鼻仕上げ材２で覆われないが、段鼻部８２の下面は、利用者に見えない部分であるので、段鼻仕上げ材２にて装飾していなくても特に支障がない。また、かかる段鼻仕上げ材２は、段鼻部８２の上方から段鼻仕上げ材２を被せるだけで取り付けることができるので、施工時の段鼻仕上げ材２の位置合わせと固定を容易に行うことができる。
【００５１】
上記実施形態の階段仕上げ構造Ｂにおいては、段鼻仕上げ材２の上板部２１の後端と踏み仕上げ材１の前端は、突き合せ状態で接しているが、段鼻仕上げ材２の上板部２１の後端と踏み仕上げ材１の前端を、各種の接合手段で接合してもよい。段鼻仕上げ材２と踏み仕上げ材１を接合することによって、段鼻仕上げ材２がより外れにくくなり、安全性が高まるだけではなく、階段構造の強度を向上できる。
例えば、図１６は、段鼻仕上げ材２の上板部２１の後端と踏み仕上げ材１の前端とを、樹脂材料からなる接合部７１にて接合した階段仕上げ構造Ｂを示す。接合部７１を構成する樹脂材料としては、上板部２１及び踏み仕上げ材１の双方に接着する樹脂などが挙げられる。このような接合部７１は、例えば、上板部２１の後端部と踏み仕上げ材１の前端部の間に、熱可塑性樹脂製の溶接棒を溶融させることによって形成できる。溶接棒を用いることによって比較的強い接合力を容易に発揮できる。さらに、接合部の外観を向上させるために、前記溶接棒に代えて、接合手段として継ぎ目接合用処理液を用いてもよい。継ぎ目接合用処理液は、前記上板部２１と踏み仕上げ材１の突き合わせ端の間に注入して使用され、その処理液が固化することにより、端間を接合できる。
【００５２】
また、図１７及び図１８は、段鼻仕上げ材２の上板部２１の後端部と踏み仕上げ材１の前端部とを、互いに重ね合せて接合した階段仕上げ構造Ｂを示す。
図１７において、段鼻仕上げ材２の上板部２１の後端部の表面側が部分的に延出され、この延出部７２の裏面側に、下向き段部７３が形成されている。踏み仕上げ材１の前端部１ａの表面に前記上板部２１の延出部７２が被せられ、踏み仕上げ材１の前端部１ａが下向き段部７３内に収められている。必要に応じて、踏み仕上げ材１の前端部１ａと延出部７２（又は下向き段部７３）の間を接着剤などにて接着してもよい。かかる接合構造によれば、踏み仕上げ材１の前端が延出部７２によって隠されるので、踏み仕上げ材１の前端部１ａが剥がれにくく、さらに、外観も良好となる。
図１８において、段鼻仕上げ材２の上板部２１の後端部の裏面側が部分的に延出され、この延出部７４の表面側に、上向き段部７５が形成されている。この上向き段部７５の表面に踏み仕上げ材１の前端部１ａが載せられ、上板部２１と踏み仕上げ材１が接合されている。必要に応じて、踏み仕上げ材１の前端部１ａと延出部７４（又は上向き段部７５）の間を接着剤などにて接着してもよい。かかる接合構造によれば、段鼻仕上げ材２を段鼻部８２に取り付けた後に踏み仕上げ材１を取り付けるので、踏み仕上げ材１を改修する際に踏み仕上げ材１を容易に取り外すことができる。
なお、特に図示しないが、段鼻仕上げ材２と蹴込み仕上げ材３、蹴込み仕上げ材３と踏み仕上げ材１などの各端部間についても、同様に接合してもよい。
【００５３】
前記延出部７２，７４の厚みが踏み仕上げ材１の厚みより小さく形成されていることが好ましい。例えば、踏み仕上げ材１の厚みは、通常１ｍｍ〜５ｍｍ程度であるのに対し、延出部７２，７４の厚みは、０．１ｍｍ〜０．５ｍｍ、好ましくは０．２ｍｍ〜０．４ｍｍに設定される。
また、延出部７２，７４の端部（後端部）の厚みがその延出部の他の部分の厚みよりも小さく形成されていることが好ましい。例えば、図１７に示す延出部７２のように、その端部（後端部）に向かうに従って肉厚が小さくなるように傾斜面を形成することが好ましい。傾斜面を形成することによって、踏み仕上げ材１の表面との間に段差が生じにくくなる。例えば、延出部の断面形状は、略三角形、嘴形状などが挙げられる。
【００５４】
延出部７２，７４の延出長さ（延出部の前後方向長さ）は、例えば、５ｍｍ〜５０ｍｍに設定される。かかる延出長さの延出部７２，７４の全部に踏み仕上げ材１の前端部１ａが被さっている場合には、延出部７２，７４と踏み仕上げ材１の被さり長さは、５ｍｍ〜５０ｍｍとなる。
上述のように踏み仕上げ材１と延出部７２，７４を接合する場合、例えば、接着剤や粘着剤を用いた接着、加熱しながら圧着する溶融接着、溶剤などで溶かして圧着する溶剤接着などの接着方法が挙げられる。作業性と接合強度の観点から、接着剤による接着が好ましい。さらに、延出部７２，７４と踏み仕上げ材１の接する箇所を、シーリング、テーピングなどの方法で補強することにより、それらの接合強度を高めることができる。
さらに、図１７の例において、踏み仕上げ材１の前端部１ａを、延出部７２の厚み相当分だけ切除することにより、踏み仕上げ材１の前端部１ａの表面と上板部２１の表面を連続した平坦状に形成できる。また、図１８に示すように前端部１ａの裏面に吸着部を設けないという方法を用いてもよい。この方法によって、踏み仕上げ材１の前端部１ａの厚みを小さくしなくても、踏み仕上げ材１の前端部１ａの表面と上板部２１の表面を連続した平坦状に形成できる。
【００５５】
さらに、上記実施形態の巾木仕上げ材４は、横巾木部材６の第１接合端面６ｂと第２接合端面６ｃが、側面視で傾斜直線状に接合されているが、例えば、図１９に示すように、縦巾木部材５の第１接合端面５ｂ及び第２接合端面５ｃ及び横巾木部材６の第１接合端面６ｂ及び第２接合端面６ｃがＬ字状に切り欠かれた端面から構成されていてもよい。このような場合でも、図１９に示すように、縦巾木部材５の第１接合端面５ｂと横巾木部材６の第１接合端面６ｂ及び縦巾木部材５の第２接合端面５ｃと横巾木部材６の第２接合端面６ｃは接するようになる。
その他、縦巾木部材５及び横巾木部材６の第１接合端面５ｂ，６ｂ及び第２接合端面５ｃ，６ｃは、互いに接するような形状に形成されていればよく、図示例に限定されるものではない。例えば、図２０に示すように、横巾木部材６の第１接合端面６ｂが、縦巾木部材５の長辺端面に接する直線状に形成されていてもよい。また、同図に示すように、縦巾木部材５の第２接合端面５ｃが、横巾木部材６の長辺端面に接する直線状に形成されていてもよい。
【００５６】
上記実施形態では、裏面に吸着部１２が設けられた踏み仕上げ材１を例示したが、吸着部１２を有さない踏み仕上げ材１を用いてもよい。吸着部１２を有さない踏み仕上げ材１は、粘着剤層又は接着剤層を介して踏み面部８１に取り付けられるが、好ましくは、両面粘着テープを用いて貼り付けられる。
両面粘着テープを用いて踏み仕上げ材１を踏み面部８１に貼り付ける場合において、両面粘着テープの好ましい配置例を図２１に示す。
図２１（ａ）は、階段下地の踏み面部８１を上方側から見た参考平面図である。図２１において、踏み面部８１の前方の段鼻部に、段鼻仕上げ材２が取り付けられた状態で表している。
図２１（ｂ）乃至（ｅ）は、同図（ａ）の踏み面部８１の表面に、踏み仕上げ材１を貼り付けるための両面粘着テープ７９が配置された状態を示している。
各図において、両面粘着テープ７９が設けられた部分に、網掛けを付している。
同図（ｂ）では、踏み面部８１の周辺に両面粘着テープ７９が配置され、好ましくは、踏み面部８１の周辺に実質的に隙間無く無端環状に両面粘着テープ７９が配置されている。このように両面粘着テープ７９が配置されていることにより、踏み仕上げ材１の端部の捲れを確実に防止できる。
同図（ｃ）乃至（ｅ）は、同図（ｂ）の配置に加えて、環状に配置された両面粘着テープ７９の中に、さらに、両面粘着テープ７９を配置した例である。このような両面粘着テープ７９の配置により、踏み仕上げ材１の端部の捲れを確実に防止できる上、踏み仕上げ材１の面内中央部の浮きや撓みを防止できる。
【００５７】
また、上記実施形態の階段仕上げ材Ａは、蹴込み仕上げ材３を有しているが、蹴込み仕上げ材３を省略してもよい。蹴込み仕上げ材３を有さない階段仕上げ材Ａを階段下地８に施工した場合には、蹴込み面部８３が装飾されないが、蹴込み面部８３は、利用者にとって目立つ部分ではないので、蹴込み面部８３の装飾を省略しても特に支障はない。
また、踏み仕上げ材１と蹴込み仕上げ材３とが、別体で形成される例を示したが、一体に形成されていてもよい。例えば、踏み仕上げ材１の後端と蹴込み仕上げ材３の前端が連なって一体に形成されてもよい。
さらに、上記実施形態の階段仕上げ構造Ｂにおいて、段鼻仕上げ材２の前板部２２は、貼り付け手段を介して段鼻部８２に貼り付けられているが、前板部２２は、段鼻部８２に貼り付けられていなくてもよい。同様に、段鼻仕上げ材２の下板部２３は、段鼻部８２に貼り付けられていなくてもよい。前板部２２や下板部２３が段鼻部８２に貼り付けられていない場合でも、段鼻仕上げ材２の上板部２１を段鼻部８２に貼り付けることにより、段鼻仕上げ材２を段鼻部８２に安定的に取り付けることができる。
【符号の説明】
【００５８】
Ａ  階段仕上げ材
Ｂ  階段仕上げ構造
１  踏み仕上げ材
２  段鼻仕上げ材
２１  上板部
２２  前板部
２３  下板部
３  蹴込み仕上げ材
４  巾木仕上げ材
５  縦巾木部材
６  横巾木部材
８  階段下地
８１  踏み面部
８２  段鼻部
８３  蹴込み面部
９  側面壁下地
９１  入隅部
【図１】
2020117951.tif 000003
【図２】
2020117951.tif 000004
【図３】
2020117951.tif 000005
【図４】
2020117951.tif 000006
【図５】
2020117951.tif 000007
【図６】
2020117951.tif 000008
【図７】
2020117951.tif 000009
【図８】
2020117951.tif 000010
【図９】
2020117951.tif 000011
【図１０】
2020117951.tif 000012
【図１１】
2020117951.tif 000013
【図１２】
2020117951.tif 000014
【図１３】
2020117951.tif 000015
【図１４】
2020117951.tif 000016
【図１５】
2020117951.tif 000017
【図１６】
2020117951.tif 000018
【図１７】
2020117951.tif 000019
【図１８】
2020117951.tif 000020
【図１９】
2020117951.tif 000021
【図２０】
2020117951.tif 000022
【図２１】
2020117951.tif 000023